(57)【特許請求の範囲】
【請求項１】
外部機器が装着されるカメラであって、
電力を供給する電源部と、
前記電源部からの電力が供給されることにより、前記外部機器の基準電圧源により生成される基準電圧が入力される入力部と、
前記電源部から供給される電力による電圧値を、前記入力部に入力された前記基準電圧に基づいた値の所定倍の値に変更する電圧変更部と、
前記電圧変更部で変更された電圧値の電圧を前記外部機器へ出力する出力部と、
を備えることを特徴とするカメラ。
【請求項２】
請求項１に記載のカメラにおいて、
前記外部機器へ出力される前記電圧に基づいた電圧値の信号を送受信して前記外部機器と通信する通信部を備えること、
を特徴とするカメラ。
【請求項３】
請求項１又は請求項２に記載のカメラにおいて、
前記入力部及び前記出力部は、前記外部機器との装着部近傍に設けられる接点であること、
を特徴とするカメラ。
【請求項４】
カメラに着脱自在に装着される交換レンズであって、
前記カメラから電力が供給される接続部と、
前記接続部に接続され、前記カメラから供給される電力により、当該交換レンズの回路の動作電圧に基づいた基準電圧を生成する基準電圧源とを有し、
前記基準電圧源により生成された前記基準電圧が前記接続部に出力されること、
を特徴とする交換レンズ。
【請求項５】
請求項４に記載の交換レンズにおいて、
前記基準電圧の電圧値は、前記回路の動作電圧の電圧値以下であること、
を特徴とする交換レンズ。
【請求項６】
請求項４又は請求項５に記載の交換レンズにおいて、
前記基準電圧に基いて前記カメラで生成された動作電圧を入力する入力部を有すること、
を特徴とする交換レンズ。
【請求項７】
請求項４から請求項６までのいずれか１項に記載の交換レンズにおいて、
前記接続部は、前記カメラとの装着部近傍に設けられる接点であること、
を特徴とする交換レンズ。
【請求項８】
請求項４から請求項７までのいずれか１項に記載の交換レンズにおいて、
前記基準電圧源は、ツェナーダイオードであること、
を特徴とする交換レンズ。
【請求項９】
請求項４から請求項８までのいずれか１項に記載の交換レンズにおいて、
前記回路の動作電圧の電圧値は、前記カメラとの通信に使用する電圧信号の電圧値と同等であること、
を特徴とする交換レンズ。
【請求項１０】
カメラと、前記カメラに装着可能な交換レンズとを備えたカメラシステムであって、
前記交換レンズは、
前記カメラから電力が供給される第１の接続部と、
前記第１の接続部に接続され、前記カメラから供給される電力により、前記交換レンズの回路の動作電圧に基づいた基準電圧を生成する基準電圧源と、
前記交換レンズの回路の動作電圧を前記カメラから入力する第２の接続部とを備え、
前記基準電圧源により生成された前記基準電圧が前記第１の接続部に出力され、
前記カメラは、
電力を供給する電源部と、
前記第１の接続部に接続され、前記電源部からの電力が供給されることにより、前記第１の接続部から前記基準電圧を入力する第３の接続部と、
前記第３の接続部で入力した前記基準電圧に基づいた値の所定倍の値に、前記電源部から供給される電力による電圧値を変更する電圧変更部と、
前記第２の接続部と接続され、前記電圧変更部で変更された電圧値の電圧を、前記第２の接続部へ出力する第４の接続部と、
を備えるカメラシステム。
【請求項１１】
請求項１０に記載のカメラシステムにおいて、
前記第１の接続部及び前記第２の接続部は、前記交換レンズの前記カメラとの装着部近傍に設けられる接点であり、
前記第３の接続部及び前記第４の接続部は、前記カメラの前記第１の接続部及び前記第２の接続部に対応する位置に設けられる接点であること、
を特徴とするカメラシステム。
【請求項１２】
請求項１０又は請求項１１に記載のカメラシステムにおいて、
前記カメラは、前記交換レンズの前記回路の動作電圧の電圧値と同等の電圧値の信号を送受信して前記交換レンズと通信する通信部を備えること、
を特徴とするカメラシステム。
【請求項１３】
請求項１０から請求項１２までのいずれか１項に記載のカメラシステムにおいて、
前記基準電圧源は、ツェナーダイオードであること、
を特徴とするカメラシステム。
【請求項１４】
請求項１０から請求項１３までのいずれか１項に記載のカメラシステムにおいて、
前記基準電圧の電圧値は、前記回路の動作電圧の電圧値以下であること、
を特徴とするカメラシステム。
【発明の詳細な説明】
【技術分野】
【０００１】
本発明は、カメラ、交換レンズ、カメラシステム、及び、カメラシステムの電力供給方法に関するものである。
【背景技術】
【０００２】
１台のカメラに複数種類の交換レンズ（外部機器）を装着する技術として、例えば、特許文献１に、動作電圧の異なる２種類の交換レンズを装着するために、動作電圧に基づいた２種類の電源を有したカメラが提案されている。
しかし、特許文献１のカメラは、２種類の特定の動作電圧の電圧値によって駆動する交換レンズに対してのみ有効であり、前記２種類の電圧値以外の電圧値を必要とした交換レンズには対応させることができなかった。
【特許文献１】特開平７−４３７７３号公報
【発明の開示】
【発明が解決しようとする課題】
【０００３】
本発明の課題は、装着する外部機器の回路に適切な動作電圧を供給することができるカメラ、交換レンズ、カメラシステム、及び、カメラシステムの電力供給方法を提供することである。
【課題を解決するための手段】
【０００４】
本発明は、以下のような解決手段により、前記課題を解決する。
請求項１の発明は、外部機器が装着されるカメラであって、電力を供給する電源部と、前記電源部からの電力が供給されることにより、前記外部機器の基準電圧源により生成される基準電圧が入力される入力部と、前記電源部から供給される電力による電圧値を、前記入力部に入力された前記基準電圧に基づいた値の所定倍の値に変更する電圧変更部と、前記電圧変更部で変更された電圧値の電圧を前記外部機器へ出力する出力部と、を備えることを特徴とするカメラである。
請求項２の発明は、請求項１に記載のカメラにおいて、前記外部機器へ出力される前記電圧に基づいた電圧値の信号を送受信して前記外部機器と通信する通信部を備えること、を特徴とするカメラである。
請求項３の発明は、請求項１又は請求項２に記載のカメラにおいて、前記入力部及び前記出力部は、前記外部機器との装着部近傍に設けられる接点であること、を特徴とするカメラである。
【０００５】
請求項４の発明は、カメラに着脱自在に装着される交換レンズであって、前記カメラから電力が供給される接続部と、前記接続部に接続され、前記カメラから供給される電力により、当該交換レンズの回路の動作電圧に基づいた基準電圧を生成する基準電圧源とを有し、前記基準電圧源により生成された前記基準電圧が前記接続部に出力されること、を特徴とする交換レンズである。
請求項５の発明は、請求項４に記載の交換レンズにおいて、前記基準電圧の電圧値は、前記回路の動作電圧の電圧値以下であること、を特徴とする交換レンズである。
請求項６の発明は、請求項４又は請求項５に記載の交換レンズにおいて、前記基準電圧に基いて前記カメラで生成された動作電圧を入力する入力部を有すること、を特徴とする交換レンズである。
請求項７の発明は、請求項４から請求項６までのいずれか１項に記載の交換レンズにおいて、前記接続部は、前記カメラとの装着部近傍に設けられる接点であること、を特徴とする交換レンズである。
請求項８の発明は、請求項４から請求項７までのいずれか１項に記載の交換レンズにおいて、前記基準電圧源は、ツェナーダイオードであること、を特徴とする交換レンズである。
請求項９の発明は、請求項４から請求項８までのいずれか１項に記載の交換レンズにおいて、前記回路の動作電圧の電圧値は、前記カメラとの通信に使用する電圧信号の電圧値と同等であること、を特徴とする交換レンズである。
【０００６】
請求項１０の発明は、カメラと、前記カメラに装着可能な交換レンズとを備えたカメラシステムであって、前記交換レンズは、前記カメラから電力が供給される第１の接続部と、前記第１の接続部に接続され、前記カメラから供給される電力により、前記交換レンズの回路の動作電圧に基づいた基準電圧を生成する基準電圧源と、前記交換レンズの回路の動作電圧を前記カメラから入力する第２の接続部とを備え、前記基準電圧源により生成された前記基準電圧が前記第１の接続部に出力され、前記カメラは、電力を供給する電源部と、前記第１の接続部に接続され、前記電源部からの電力が供給されることにより、前記第１の接続部から前記基準電圧を入力する第３の接続部と、前記第３の接続部で入力した前記基準電圧に基づいた値の所定倍の値に、前記電源部から供給される電力による電圧値を変更する電圧変更部と、前記第２の接続部と接続され、前記電圧変更部で変更された電圧値の電圧を、前記第２の接続部へ出力する第４の接続部と、を備えるカメラシステムである。
請求項１１の発明は、請求項１０に記載のカメラシステムにおいて、前記第１の接続部及び前記第２の接続部は、前記交換レンズの前記カメラとの装着部近傍に設けられる接点であり、前記第３の接続部及び前記第４の接続部は、前記カメラの前記第１の接続部及び前記第２の接続部に対応する位置に設けられる接点であること、を特徴とするカメラシステムである。
請求項１２の発明は、請求項１０又は請求項１１に記載のカメラシステムにおいて、前記カメラは、前記交換レンズの前記回路の動作電圧の電圧値と同等の電圧値の信号を送受信して前記交換レンズと通信する通信部を備えること、を特徴とするカメラシステムである。
請求項１３の発明は、請求項１０から請求項１２までのいずれか１項に記載のカメラシステムにおいて、前記基準電圧源は、ツェナーダイオードであること、を特徴とするカメラシステムである。
請求項１４の発明は、請求項１０から請求項１３までのいずれか１項に記載のカメラシステムにおいて、前記基準電圧の電圧値は、前記回路の動作電圧の電圧値以下であること、を特徴とするカメラシステムである。
【０００８】
なお、本発明をわかりやすく説明するために実施形態を示す図面の符号に対応つけて説明したが、本発明は、これに限定されるものでなく、後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【発明の効果】
【０００９】
本発明によれば、カメラに装着された外部機器に応じて、適切な回路の動作電圧を外部機器に入力することができ、カメラと外部機器との互換性を向上させることができる。
【発明を実施するための最良の形態】
【００１０】
（第１実施形態）
以下、図面等を参照して、本発明の第１実施形態をあげて、さらに詳しく説明する。
図１は、第１実施形態によるカメラシステムの全体の概略図である。図２は、交換レンズがカメラに装着された第１実施形態のカメラシステムのブロック線図である。
【００１１】
カメラシステム１は、図１に示すように、交換レンズ１００をカメラ１０に装着可能なシステムである。
カメラ１０は、図２に示すように、カメラ筐体１０ａの内部に、カメラ制御部１１、電源部１２、定電圧回路１３、給電回路１４、給電スイッチ１５、シグナルＧＮＤ１６、操作スイッチ１７、電気接点２０、電圧変更回路３０及び電圧レベルＩ／Ｆ回路４０を備えている。
カメラ筐体１０ａは、カメラ１０の各部を内包するボディ部材であり、交換レンズ１００を着脱自在に装着する装着部１０ｂを有している。
【００１２】
カメラ制御部１１は、カメラ１０の各部を統括制御するマイクロコンピュータであり、カメラ１０の不図示の撮影部の撮影動作や電源部１２の電力供給を制御したり、操作スイッチ１７に基づいて交換レンズ１００に設けられた駆動系を制御する駆動指令などの通信用の電圧信号（以後、通信信号という）を、電圧レベルＩ／Ｆ回路４０を介して交換レンズ１００に送信したりする。
また、カメラ制御部１１は、撮影モードと低消費電力モードとを有し、不図示の電源スイッチが入った状態におけるカメラ１０の使用状態に応じて、カメラ１０の各部への電力供給を制限し、消費電力を低減させている。
【００１３】
具体的には、撮影モードは、被写体の撮影を即時に実施することができるように、カメラ制御部１１が、カメラ１０及び交換レンズ１００の各部に電力を供給させている。これに対し、低消費電力モードは、カメラ１０の撮影動作が特定の時間実施されないときに、カメラ制御部１１が、信号ＣＴＬ１を定電圧回路１３に送信し、定電圧回路１３から供給される電力を遮断し、また、後述の給電スイッチ１５をＯＦＦの状態にし、カメラ制御部１１以外のカメラ１０の各部及び交換レンズ１００に供給される電力を遮断して消費電力を低減させている。ここで、信号ＣＴＬ１は、カメラ制御部１１が定電圧回路１３に対して送信する信号であり、定電圧回路１３に電力を供給させるか否かの情報が含まれている。
【００１４】
撮影モードから低消費電力モードへの切り替えは、例えば、後述の操作スイッチ１７に含まれるレリーズスイッチ１７ａが、特定の時間（例えば、５分）操作されなかったときに切り替わり、また、低消費電力モードから撮影モードへの切り替えは、そのレリーズスイッチ１７ａが半押しなどの操作が行われたときに切り替わる。また、レリーズスイッチ１７ａ以外の操作スイッチ１７が操作されることにより、撮影モード及び低消費電力モードの切り替えを実施してもよい。
【００１５】
電源部１２は、陽極部Ｐ１及び陰極部Ｍ１を有し、カメラ１０の各部に電力（６Ｖ）を供給する電池であり、電源部１２の陽極部Ｐ１には、定電圧回路１３、給電回路１４、及び、給電スイッチ１５が接続されている。また、電源部１２の陰極部Ｍ１には、定電圧回路１３、シグナルＧＮＤ１６、及び、後述の電気接点２０のＧＮＤ接点２０ｅが接続されている。
定電圧回路１３は、電源部１２から供給される電圧を安定させて、カメラ１０の給電回路１４及び電圧変更回路３０に供給する電源安定化回路である。本実施形態では、電源部１２が６Ｖの電圧を供給しており、定電圧回路１３は、電源部１２から供給された電力の電圧を５．１Ｖに調整して出力する。電圧を５．１Ｖに調整することによって、電源部１２の電圧（６Ｖ）が低下したとき（例えば、５．５Ｖ）においても、電圧の変化に影響されることなく、安定した電圧（５．１Ｖ）を給電回路１４や電圧変更回路３０に供給することができる。
また、定電圧回路１３は、前述のカメラ制御部１１から送信される信号ＣＴＬ１に基づいて、電力を出力したり、遮断したりする。
【００１６】
給電回路１４は、電源部１２の電力と定電圧回路１３の電力とを入力し、これら２系統の電力のうち電圧の高い方を選択してカメラ制御部１１及び電圧レベルＩ／Ｆ回路４０に供給する回路である。また、給電回路１４は、カメラ制御部１１及び電圧レベルＩ／Ｆ回路４０の電源電圧（４．８Ｖ）に対応した電圧が入力されるように、シリコンダイオード１４ａを介して電源部１２の電力を入力し、ショットキーダイオード１４ｂを介して定電圧回路１３の電力を入力している。
具体的には、給電回路１４は、電源部１２から供給される電圧（６Ｖ）を、シリコンダイオード１４ａを介して４．８Ｖに低減させており、また、定電圧回路１３から供給される電圧（５．１Ｖ）を、ショットキーダイオード１４ｂを介して４．８Ｖに低減させている。
ここで、給電回路１４は、カメラ１０が撮影モードである場合には、上述したように、電源部１２又は定電圧回路１３の電圧の高い方を選択するが、カメラ１０が低消費電力モードである場合には、定電圧回路１３からの電力供給が遮断されているので、シリコンダイオード１４ａによって４．８Ｖの電圧値に低減される電源部１２の電源電圧をカメラ制御部１１及び電圧レベルＩ／Ｆ回路４０に供給している。
【００１７】
給電スイッチ１５は、後述の電気接点２０のパワー電源接点２０ａに電源部１２の電力を供給するか否かを切り替えるＯＮ／ＯＦＦスイッチであり、操作スイッチ１７が操作されるなどして、カメラ１０が撮影モードに切り替わったときにＯＮ（電力供給）の状態になる。
シグナルＧＮＤ１６は、カメラ筐体１０ａ内に設けられた導電性のある部材である。シグナルＧＮＤ１６は、電源部１２の陰極部Ｍ１に接続されることによってカメラ筐体１０ａをグランドにしており、カメラ制御部１１や、操作スイッチ１７、後述の電圧変更回路３０の第２分圧抵抗３０ｃ、電圧レベルＩ／Ｆ回路４０などが接続されている。また、シグナルＧＮＤ１６は、その一端がカメラ筐体１０ａの装着部１０ｂに表出しており、交換レンズ１００がカメラ１０に装着されたときに、後述の交換レンズ１００のシグナルＧＮＤ１０３と接触して導通することができ、カメラ１０及び交換レンズ１００のグランドを共通化させている。
【００１８】
操作スイッチ１７は、カメラ１０の操作用のスイッチ群であり、図１に示すように、レリーズスイッチ１７ａなどを備え、カメラ制御部１１とシグナルＧＮＤ１６との間に設けられている。
レリーズスイッチ１７ａは、カメラ制御部１１に接続され、被写体像の撮影を実行する操作スイッチである。本実施形態では、レリーズスイッチ１７ａは、半押しされることで、上述したカメラ１０のモードを低消費電力モードから撮影モードに切り替えたり、交換レンズ１００でオートフォーカスを機能させたりし、全押しされることで、被写体の撮影を実行している。
【００１９】
電気接点２０は、カメラ筐体１０ａの装着部１０ｂに設けられ、電源部１２の電力や通信信号などを、後述の交換レンズ１００に設けられた電気接点１１０に伝達させる接触式の接点であり、パワー電源接点２０ａ、回路電源接点２０ｂ、基準電圧接点２０ｃ、通信接点２０ｄ、ＧＮＤ接点２０ｅを備えている。
パワー電源接点２０ａは、図２に示すように、電源部１２の陽極部Ｐ１に給電スイッチ１５を介して接続された接点であり、交換レンズ１００へ電源部１２の電力を供給する。
回路電源接点２０ｂは、後述の電圧変更回路３０のトランジスタ３０ｅのコレクタＣに接続された接点であり、電圧変更回路３０で変更された電圧を、後述の交換レンズ１００のレンズ制御部１０１の回路を動作させる電圧（以後、回路電圧という）として、交換レンズ１００側に出力する。
【００２０】
基準電圧接点２０ｃは、後述の電圧変更回路３０のバイアス抵抗３０ａ及びオペアンプ３０ｄの反転入力端子（−）に接続された接点であり、後述の交換レンズ１００のツェナーダイオード１２０に定電圧回路１３の電力を供給し、そのツェナーダイオード１２０で立ち上がった基準電圧を入力する。
通信接点２０ｄは、電圧レベルＩ／Ｆ回路４０に接続された接点であり、後述の交換レンズ１００のレンズ制御部１０１に対して通信用の電圧信号（以後、通信信号という）を送受信する。
ＧＮＤ接点２０ｅは、電源部１２の陰極部Ｍ１に接続された接点である。
【００２１】
電圧変更回路３０は、定電圧回路１３から出力される電圧の電圧値を、基準電圧接点２０ｃで入力する基準電圧に基づいて後述の交換レンズ１００のレンズ制御部１０１が必要とする回路電圧の電圧値に変更する回路である。電圧変更回路３０は、バイアス抵抗３０ａ、第１分圧抵抗３０ｂ、第２分圧抵抗３０ｃ、オペアンプ３０ｄ、及び、トランジスタ３０ｅを備えており、後述の交換レンズ１００に設けられたツェナーダイオード１２０とともに、シリーズレギュレータの形態を構成している。
バイアス抵抗３０ａは、定電圧回路１３と基準電圧接点２０ｃとの間に設けられた抵抗であり、後述の交換レンズ１００に設けられたツェナーダイオード１２０に定電圧回路１３の電力が供給されるために設けられている。
【００２２】
第１分圧抵抗３０ｂ及び第２分圧抵抗３０ｃは、トランジスタ３０ｅで制御された電圧の電圧値を分圧する抵抗であり、第１分圧抵抗３０ｂは、後述のトランジスタ３０ｅのコレクタＣと後述のオペアンプ３０ｄの非反転入力端子（＋）との間に設けられ、第２分圧抵抗３０ｃは、後述のオペアンプ３０ｄの非反転入力端子（＋）とシグナルＧＮＤ１６との間に設けられている。
ここで、本実施形態では、第１分圧抵抗３０ｂ及び第２分圧抵抗３０ｃは、抵抗値がともに１０ｋΩに設定されており、後述のトランジスタ３０ｅのコレクタＣから出力される電圧の電圧値を二分の一に分圧している。なお、第１分圧抵抗３０ｂ及び第２分圧抵抗３０ｃは、各抵抗値を自在に変更可能であり、分圧の比率を前述の二分の一以外に設定することができる。
【００２３】
オペアンプ３０ｄは、非反転入力端子（＋）、反転入力端子（−）及び出力端子Ｏを備え、本実施形態では、非反転入力端子（＋）及び反転入力端子（−）から入力された電圧信号の電圧値を一致させるように、出力端子Ｏに接続されたトランジスタ３０ｅを制御する。なお、トランジスタ３０ｅの詳細の動作については、後で説明する。
オペアンプ３０ｄの非反転入力端子（＋）は、上述の第１分圧抵抗３０ｂ及び第２分圧抵抗３０ｃによって分圧されたトランジスタ３０ｅの出力電圧を入力し、反転入力端子（−）は、基準電圧接点２０ｃを介して後述の交換レンズ１００に設けられたツェナーダイオード１２０の基準電圧を入力している。
【００２４】
また、オペアンプ３０ｄの出力端子Ｏは、後述のトランジスタ３０ｅのベースＢに接続され、上記非反転入力端子（＋）及び反転入力端子（−）に入力された電圧が一致するようにトランジスタ３０ｅを制御する制御信号を出力している。
上記各端子の接続によって、本実施形態では、オペアンプ３０ｄは、非反転入力端子（＋）で入力したトランジスタ３０ｅの分圧された出力電圧をフィードバックデータとし、反転入力端子（−）で入力した基準電圧をリファレンスデータとして、分圧された出力電圧の電圧値が基準電圧の電圧値に一致するようにトランジスタ３０ｅを制御する。
【００２５】
具体的には、反転入力端子（−）に入力される基準電圧の電圧値は１．５Ｖであり、その電圧値が常に一定であるので、オペアンプ３０ｄは、非反転入力端子（＋）に入力されたトランジスタ３０ｅの分圧された出力電圧の電圧値を、１．５Ｖの基準電圧の電圧値に一致するようにトランジスタ３０ｅを制御している。ここで、上述したように、オペアンプ３０ｄは、トランジスタ３０ｅの分圧された出力電圧の電圧値を、基準電圧の電圧値（１．５Ｖ）に一致するようにトランジスタ３０ｅを制御しているので、後述のトランジスタ３０ｅのコレクタＣから出力される出力電圧の電圧値は、３Ｖに制御される。
【００２６】
トランジスタ３０ｅは、エミッタＥ、ベースＢ及びコレクタＣの３端子を備えたＰＮＰ式トランジスタであり、エミッタＥが定電圧回路１３に、ベースＢがオペアンプ３０ｄの出力端子Ｏに、コレクタＣが回路電源接点２０ｂ、第１分圧抵抗３０ｂ及び電圧レベルＩ／Ｆ回路４０に接続されている。上記接続によって、トランジスタ３０ｅは、ベースＢで入力したオペアンプ３０ｄの出力端子Ｏの制御信号に基づいて、アナログ的にＯＮ／ＯＦＦ操作を繰り返し、エミッタＥで入力した定電圧回路１３から供給される電圧の電圧値を変更し、コレクタＣから出力している。
以上の構成により、電圧変更回路３０は、トランジスタ３０ｅのコレクタＣの二分の一に分圧した出力電圧の電圧値を、オペアンプ３０ｄで入力した基準電圧の電圧値（１．５Ｖ）に一致するようにトランジスタ３０ｅを制御し、その制御した電圧（３Ｖ）を、回路電圧として電圧レベルＩ／Ｆ回路４０及び回路電源接点２０ｂを介して後述の交換レンズ１００のレンズ制御部１０１へと出力する。
【００２７】
電圧レベルＩ／Ｆ回路４０は、カメラ制御部１１及び通信接点２０ｄを介して後述の交換レンズ１００のレンズ制御部１０１に接続されることによって、カメラ１０と交換レンズ１００との間で行う通信の通信信号を中継している。ここで、カメラ制御部１１から出力される通信信号は、カメラ制御部１１の電源電圧の電圧値（４．８Ｖ）と同等の電圧値を有しており、後述の交換レンズ１００のレンズ制御部１０１から出力される通信信号は、上記回路電圧の電圧値（３Ｖ）と同等の電圧値を有している。したがって、電圧レベルＩ／Ｆ回路４０は、各制御部から出力された通信信号を入力し、通信先の制御部の動作電圧（電源電圧又は回路電圧）の電圧値に合わせて、通信信号の電圧値を変換して出力している。
【００２８】
本実施形態では、上述したように、カメラ制御部１１は、４．８Ｖの電圧値の電源電圧を入力しているので、そこから出力される通信信号の電圧値は４．８Ｖになる。また、後述のレンズ制御部１０１は、電圧変更回路３０から出力された３Ｖの電圧値の回路電圧を入力しているので、そこから出力される通信信号の電圧値は３Ｖとなる。そのため、電圧レベルＩ／Ｆ回路４０は、後述のレンズ制御部１０１から入力した３Ｖの電圧値の通信信号を、４．８Ｖの電圧値に変換してカメラ制御部１１へと出力し、また、カメラ制御部１１から入力した４．８Ｖの電圧値の通信信号を、３Ｖの電圧値に変換して後述のレンズ制御部１０１へと出力する。
また、電圧レベルＩ／Ｆ回路４０は、電圧変更回路３０が変更する回路電圧の電圧値の範囲内に対して電圧変換ができるように設定されおり、例えば、上記３Ｖ以外の電圧値の回路電圧が入力されたとしても、その入力した回路電圧の電圧値に基づいて通信信号の電圧値を変換することができる。
【００２９】
交換レンズ１００は、レンズ筐体１００ａを備え、そのレンズ筐体１００ａの内部に、レンズ制御部１０１、電源回路１０２、シグナルＧＮＤ１０３、操作スイッチ１０４、電気接点１１０、ツェナーダイオード１２０、ＡＦ機構部１３０、ブレ補正部１４０及び絞り駆動部１５０を備えている。
レンズ筐体１００ａは、交換レンズ１００の各部を内包するボディ部材であり、カメラ１０に着脱自在に装着可能な装着部１００ｂを有している。
【００３０】
レンズ制御部１０１は、交換レンズ１００の各部を統括制御するマイクロコンピュータであり、交換レンズ１００内に設けられた電源回路１０２を制御したり、カメラ１０の電圧レベルＩ／Ｆ回路４０と通信信号を送受信したり、ＡＦ機構部１３０や、ブレ補正部１４０、絞り駆動部１５０の制御を管理したりする。
また、レンズ制御部１０１は、前述のカメラ制御部１１と同様に、撮影モードと低消費電力モードとを有しており、カメラ１０の撮影モード及び低消費電力モードに連動している。カメラ１０が低消費電力モードであるとき、定電圧回路１３の出力電圧が遮断されているので、レンズ制御部１０１は、完全に動作停止状態になる。
【００３１】
カメラ１０が撮影モードに切り替わり、定電圧回路１３から電圧が出力されたときに、レンズ制御部１０１は、電圧変更回路３０から出力される回路電圧が供給されることによって起動する。そして、レンズ制御部１０１は、電源回路１０２から電力を出力させる信号ＣＴＬ２を電源回路１０２に送信し、電源回路１０２から交換レンズ１００の各部に電力を供給させる。ここで、信号ＣＴＬ２は、レンズ制御部１０１が電源回路１０２を制御する信号であり、電源回路１０２から電力を供給させるか否かの指令が含まれている。
【００３２】
電源回路１０２は、後述の電気接点１１０のパワー電源接点１１０ａ及びＧＮＤ接点１１０ｅに接続されており、それらの接点を介してカメラ１０から供給される電源部１２の電力を入力し、その入力した電力を安定化させる回路である。そして、電源回路１０２は、その安定化された電力を、後述のＡＦ機構部１３０のＡＦモータ制御回路１３１や、ブレ補正部１４０のブレ補正回路１４１に供給している。
【００３３】
シグナルＧＮＤ１０３は、レンズ筐体１００ａ内に設けられた導電性のある部材であり、レンズ筐体１００ａ内部で、レンズ制御部１０１や、操作スイッチ１０４、ツェナーダイオード１２０などに接続されている。シグナルＧＮＤ１０３は、その一端がレンズ筐体１００ａの装着部１００ｂに表出しており、前述したように、交換レンズ１００がカメラ１０に装着されたときに、カメラ１０のシグナルＧＮＤ１６と接触して導通することができ、カメラ１０及び交換レンズ１００のグランドを共通化させている。
操作スイッチ１０４は、レンズ筐体１００ａとレンズ制御部１０１との間に設けられ、ＡＦ機構部１３０や、ブレ補正部１４０などのＯＮ／ＯＦＦスイッチなどで構成される。
【００３４】
電気接点１１０は、レンズ筐体１００ａの装着部１００ｂに設けられ、電源部１２の電力や通信信号などを、交換レンズ１００に伝達させる接触式の接点であり、パワー電源接点１１０ａ、回路電源接点１１０ｂ、基準電圧接点１１０ｃ、通信接点１１０ｄ、ＧＮＤ接点１１０ｅを備えている。前述の各接点１１０ａ〜ｅは、それぞれ、図１に示すように、カメラ１０のパワー電源接点２０ａ、回路電源接点２０ｂ、基準電圧接点２０ｃ、通信接点２０ｄ、ＧＮＤ接点２０ｅと対応する位置に設けられおり、交換レンズ１００がカメラ１０に装着されたときに、カメラ１０の各接点と互いに接触し導通する。
【００３５】
パワー電源接点１１０ａは、図２に示すように、電源回路１０２や、後述のＡＦ機構部１３０のＡＦモータ１３２、後述のブレ補正部１４０のＶＲモータ１４２、後述の絞り駆動部１５０の絞り駆動回路１５１及び電圧モニタ回路１５３に接続された接点であり、カメラ１０のパワー電源接点２０ａと接触することによって、前記接続された各部に電源部１２の電力を供給している。
回路電源接点１１０ｂは、レンズ制御部１０１に接続された接点であり、カメラ１０の回路電源接点２０ｂと接触することによって、電圧変更回路３０から出力される回路電圧（３Ｖ）をレンズ制御部１０１に入力している。
【００３６】
基準電圧接点１１０ｃは、ツェナーダイオード１２０に接続された接点であり、カメラ１０の基準電圧接点２０ｃと接触することによって、定電圧回路１３の電力を電圧変更回路３０のバイアス抵抗３０ａを介してツェナーダイオード１２０に供給している。また、基準電圧接点１１０ｃは、ツェナーダイオード１２０に電力が供給されることによって立ち上がる基準電圧（１．５Ｖ）を、基準電圧接点２０ｃを介して電圧変更回路３０のオペアンプ３０ｄに入力している。
通信接点１１０ｄは、レンズ制御部１０１に接続された接点であり、カメラ１０の通信接点２０ｄと接触することによって、カメラ制御部１１から電圧レベルＩ／Ｆ回路４０を介して送受信される通信信号を、レンズ制御部１０１に入出力させている。
ＧＮＤ接点１１０ｅは、主に大電流が流れる可能性のある機器、すなわち、電源回路１０２、ＡＦ機構部１３０、ブレ補正部１４０及び絞り駆動部１５０が接続された接点であり、カメラ１０のＧＮＤ接点２０ｅと接触することによって、電源部１２の陰極部Ｍ１に接続される。
【００３７】
ツェナーダイオード１２０は、定電圧ダイオードとも呼ばれており、逆電圧を印加すると特定の電圧値で一定になる特性を有したダイオードであり、本実施形態では、１．５Ｖの電圧値で一定になる特性を有している。本実施形態では、ツェナーダイオード１２０は、基準電圧接点１１０ｃとシグナルＧＮＤ１０３との間に設けられ、定電圧回路１３の電力が基準電圧接点１１０ｃを介して入力されることによって、基準電圧の電圧値（１．５Ｖ）が立ち上がる。
【００３８】
ＡＦ機構部１３０は、ＡＦモータ制御回路１３１及びＡＦモータ１３２を備えたオートフォーカス（ＡＦ）機構であり、レリーズスイッチ１７ａの操作に基づいて、不図示のＡＦレンズを駆動させて、カメラシステム１による被写体の焦点を自動的に調整することができる。
ＡＦモータ制御回路１３１は、レンズ制御部１０１の駆動指令に基づいて、ＡＦモータ１３２を駆動制御する回路である。
ＡＦモータ１３２は、不図示のＡＦレンズを駆動させる超音波モータや電磁モータなどである。
【００３９】
ブレ補正部１４０は、交換レンズ１００を装着したカメラ１０で被写体を撮影する撮影者の手振れ振動が、交換レンズ１００の不図示のブレ補正レンズに伝わるのを低減させる機構であり、ブレ補正回路１４１及びＶＲ（Ｖｉｂｒａｔｉｏｎ  Ｒｅｄｕｃｔｉｏｎ）モータ１４２を備えている。
ブレ補正回路１４１は、レンズ制御部１０１の駆動指令に基づいて、ＶＲモータ１４２を駆動制御する回路である。
ＶＲモータ１４２は、不図示のブレ補正レンズを駆動させるボイスコイルモータである。
【００４０】
絞り駆動部１５０は、不図示のレンズから入射する被写体光の量を制限する機構であり、絞り駆動回路１５１、絞りモータ１５２及び電圧モニタ回路１５３を備えている。
絞り駆動回路１５１は、レンズ制御部１０１から送信される駆動指令に基づいて、絞りモータ１５２の駆動パターンを決定し、絞りモータ１５２を制御する回路である。
絞りモータ１５２は、連続的に被写体光の明るさを調整するために、不図示の複数枚の弓形状の絞り羽根を組み合わせた絞り機構（光彩絞り）に接続され、その絞り機構を駆動するステッピングモータである。
電圧モニタ回路１５３は、絞り駆動回路１５１に供給される電源部１２の電圧を検出する回路であり、絞り駆動部１５０の駆動状況に応じて変動する電源部１２の電圧を検出し、レンズ制御部１０１に送信する回路である。
【００４１】
次に、カメラ１０に装着可能な上記交換レンズ１００とは異なる仕様の第２の交換レンズ１００−２について説明する。
図３は、第２の交換レンズ１００−２がカメラ１０に装着された第１実施形態のカメラシステム１−２のブロック線図である。
第２の交換レンズ１００−２は、図３に示すように、交換レンズ１００とほぼ同等の構成を有し、カメラ１０に装着可能であり、交換レンズ１００との相違点は、レンズ制御部１０１−２の回路電圧の電圧値が１．５Ｖである点と、ツェナーダイオード１２０−２の基準電圧の電圧値が０．７５Ｖである点である。ここで、電圧レベルＩ／Ｆ回路４０は、上述したように、電圧変更回路３０が変更する回路電圧の電圧値の範囲内に対して電圧変換ができるように設定されているので、レンズ制御部１０１−２の回路電圧の電圧値（１．５Ｖ）にも対応することができる。
【００４２】
次に、カメラシステム１及びカメラシステム１−２の動作について説明する。
カメラ１０は、交換レンズ１００が装着され、不図示の主電源が入った状態であり、また、低消費電力モードであるときに、電源部１２から直接供給される電力によって、カメラ１０のカメラ制御部１１のみが動作している。
撮影者により、レリーズスイッチ１７ａなどの操作スイッチ１７が操作されたとき、カメラ制御部１１は、撮影モードに切り替わり、定電圧回路１３に信号ＣＴＬ１を送信して、定電圧回路１３から安定化された電力を給電回路１４及び電圧変更回路３０に供給させる。このとき、給電回路１４は、電源部１２から直接供給される電力と、定電圧回路１３で供給される電力とを比較して大きい電圧値を有した方を選択し、選択した電圧をカメラ制御部１１及び電圧レベルＩ／Ｆ回路４０に入力する。
【００４３】
また、定電圧回路１３から電力を供給された電圧変更回路３０は、バイアス抵抗３０ａを介してツェナーダイオード１２０に電力を供給し、基準電圧として１．５Ｖの電圧値を立ち上げさせ、その基準電圧をオペアンプ３０ｄの反転入力端子（−）に入力する。電圧変更回路３０は、入力した基準電圧の電圧値（１．５Ｖ）に基づいてオペアンプ３０ｄにトランジスタ３０ｅを制御させ、定電圧回路１３から供給される電圧の電圧値（５．１Ｖ）をレンズ制御部１０１に必要な回路電圧の電圧値（３Ｖ）に変更して、電圧レベルＩ／Ｆ回路４０及びレンズ制御部１０１へと出力する。
【００４４】
これらの動作と同時に、カメラ制御部１１は、給電スイッチ１５をＯＮの状態にして、電源部１２の電力を交換レンズ１００に供給する。交換レンズ１００に供給された電力は、電源回路１０２、ＡＦモータ１３２、ＶＲモータ１４２、絞り駆動回路１５１及び電圧モニタ回路１５３に供給される。
レンズ制御部１０１が回路電圧（３Ｖ）を入力し、かつ、電源回路１０２に電源部１２の電力が供給されたら、レンズ制御部１０１は、電源回路１０２に信号ＣＴＬ２を送信して、電源回路１０２から安定化された電力をＡＦモータ制御回路１３１及びブレ補正回路１４１に供給させる。
以上のカメラ１０及び交換レンズ１００の動作によって、カメラシステム１は、撮影モードとなる。
【００４５】
撮影モードに切り替わったカメラシステム１は、撮影者の操作などに応じて、カメラ制御部１１から出力される４．８Ｖの電圧値の通信信号を、電圧レベルＩ／Ｆ回路４０で３Ｖの電圧値に変換し、レンズ制御部１０１へ送信したり、レンズ制御部１０１から出力される３Ｖの電圧値の通信信号を、電圧レベルＩ／Ｆ回路４０で４．８Ｖの電圧値に変換し、カメラ制御部１１に送信したりして、適切に撮影者の被写体の撮影などを実行する。
【００４６】
仮に、撮影者がカメラ１０に装着された交換レンズ１００を、図３に示すように、第２の交換レンズ１００−２に交換した場合、カメラ１０の電圧変更回路３０は、第２の交換レンズ１００−２のツェナーダイオード１２０−２の基準電圧の電圧値（０．７５Ｖ）に基づいて回路電圧の電圧値（１．５Ｖ）を電圧レベルＩ／Ｆ回路４０及びレンズ制御部１０１−２に出力する。
レンズ制御部１０１−２に回路電圧が適正に入力さることによって、カメラシステム１−２は、撮影者の操作などに応じて、カメラ制御部１１から出力される４．８Ｖの電圧値の通信信号を、電圧レベルＩ／Ｆ回路４０で１．５Ｖの電圧値に変換し、レンズ制御部１０１−２へ送信したり、レンズ制御部１０１−２から出力される１．５Ｖの電圧値の通信信号を、電圧レベルＩ／Ｆ回路４０で４．８Ｖの電圧値に変換し、カメラ制御部１１に送信したりして、適切に撮影者の被写体の撮影などを実行する。
【００４７】
以上より、本実施形態のカメラシステムには以下のような効果がある。
（１）カメラシステム１は、交換レンズ１００から基準電圧を入力し、その基準電圧に基づいて定電圧回路１３から供給される電圧の電圧値を変更して、変更した電圧を回路電圧としてレンズ制御部１０１に入力しているので、カメラ１０に装着された交換レンズ１００に応じて、適切な回路電圧を入力することができ、カメラ１０と交換レンズ１００との互換性を向上させることができる。
（２）カメラ１０及び交換レンズ１００は、互いの装着部１０ｂ、１００ｂの対応する位置に電気接点２０及び電気接点１１０を備えているので、カメラ１０及び交換レンズ１００の装着時に各接点を接触させて導通を確実にすることができる。
【００４８】
（３）カメラシステム１は、カメラ制御部１１及びレンズ制御部１０１との間に電圧レベルＩ／Ｆ回路４０を設けているので、各制御部から出力された通信信号を入力し、通信先の制御部の動作電圧（電源電圧又は回路電圧）の電圧値に合わせて、通信信号の電圧値を変換して出力することができ、各制御部間の通信信号の互換性を持たせることができる。
（４）交換レンズ１００は、基準電圧源としてツェナーダイオード１２０を備えているので、交換レンズ１００に電池などを搭載させることなく、簡易に基準電圧源を設けることができる。
【００４９】
（第２実施形態）
図４は、交換レンズ３００がカメラ２１０に装着されたカメラシステム１−３の第２実施形態を示すブロック線図である。図５は、第２の交換レンズ３００−２がカメラ２１０に装着された第２実施形態のカメラシステム１−４のブロック線図である。なお、以下の各実施形態の説明では、前述した第１実施形態と同様な機能を果たす部分には、同一の符号又は末尾に統一した符号を付して、重複する説明や図面を適宜省略する。
第２実施形態のカメラ２１０と第１実施形態のカメラ１０との相違点は、図４に示すように、電圧変更回路２３０の回路構成が変更された点である。また、第２実施形態の交換レンズ３００は、第１実施形態の交換レンズ１００と同一の構成を備え、第２実施形態の第２の交換レンズ３００−２は、第１実施形態の第２の交換レンズ１００−２と同一の構成を備えている。
【００５０】
電圧変更回路２３０は、バイアス抵抗２３０ａ、第１分圧抵抗２３０ｂ、第２分圧抵抗２３０ｃ、オペアンプ２３０ｄ、トランジスタ２３０ｅ及び保護抵抗２３０ｆを備えており、後述の交換レンズ３００に設けられたツェナーダイオード３２０とともに、シャントレギュレータの形態を構成している。
【００５１】
第１分圧抵抗２３０ｂ及び第２分圧抵抗２３０ｃは、トランジスタ２３０ｅで制御された電圧を分圧する抵抗であり、第１分圧抵抗２３０ｂは、保護抵抗２３０ｆとオペアンプ２３０ｄの非反転入力端子（＋）との間に設けられ、第２分圧抵抗２３０ｃは、後述のオペアンプ２３０ｄの非反転入力端子（＋）とシグナルＧＮＤ２１６との間に設けられている。
【００５２】
トランジスタ２３０ｅは、エミッタＥ、ベースＢ及びコレクタＣの３端子を備えたＮＰＮ式のトランジスタであり、エミッタＥがシグナルＧＮＤ２１６に接続され、ベースＢがオペアンプ２３０ｄの出力端子Ｏに、コレクタＣが保護抵抗２３０ｆを介して定電圧回路２１３に接続されている。上記接続によって、トランジスタ２３０ｅは、ベースＢで入力したオペアンプ２３０ｄの出力端子Ｏの制御信号に基づいて、アナログ的にＯＮ／ＯＦＦ操作を繰り返し、トランジスタ２３０ｅ内に流れる電流を制御して、定電圧回路２１３から出力される電圧の電圧値を変更している。
保護抵抗２３０ｆは、オペアンプ２３０ｄの初期動作時のトランジスタ２３０ｅのデッドショートを防止するために、トランジスタ２３０ｅのコレクタＣと定電圧回路２１３との間に設けられた抵抗である。
【００５３】
以上より、本実施形態のカメラシステム１−３は、第１実施形態の電圧変更回路３０と異なる回路構成を有した電圧変更回路２３０を用いても、第１実施形態と同様に、図４及び図５に示すように、回路電圧の異なる交換レンズ３００、交換レンズ３００−２をカメラ２００に装着しても、ツェナーダイオード３２０、３２０−２の基準電圧に基づいて、電圧変更回路２３０が適正な回路電圧を交換レンズに出力させることができ、複数の交換レンズ３００、３００−２と、カメラ２１０との互換性を向上させることができる。
【００５４】
（第３実施形態）
図６は、交換レンズ５００がカメラ４１０に装着された第３実施形態のカメラシステム１−５のブロック線図である。図７は、第２の交換レンズ５００−２がカメラ４１０に装着された第３実施形態のカメラシステム１−６のブロック線図である。
第３実施形態のカメラ４１０と第１実施形態のカメラ１０との相違点は、図６に示すように、電圧変更回路４３０の回路構成が変更された点と、電源部４１２の電圧の電圧値が３Ｖである点と、給電回路４１４の回路構成が変更された点とである。また、第３実施形態の交換レンズ５００と第１実施形態の交換レンズ１００との相違点は、レンズ制御部５０１が１．５Ｖの電圧値で動作する点と、ツェナーダイオード５２０が０．７５Ｖの電圧値の基準電圧を有している点である。さらに、第３実施形態の第２の交換レンズ５００−２と第１実施形態の第２の交換レンズ１００−２との相違点は、レンズ制御部５０１−２が５Ｖの電圧値で動作する点と、ツェナーダイオード５２０−２が２．５Ｖの電圧値の基準電圧を有している点である。
【００５５】
電源部４１２は、カメラ４１０の各部に電力を供給する電池であり、３Ｖの電圧を有している。電源部４１２の電圧の電圧値が第１実施形態の６Ｖから３Ｖに変更されることに伴って、定電圧回路４１３の出力電圧の電圧値は、３Ｖに変更され、また、カメラ制御部４１１及び電圧レベルＩ／Ｆ回路４４０の電源電圧の電圧値は、２．７Ｖに変更されている。
給電回路４１４は、カメラ制御部４１１及び電圧レベルＩ／Ｆ回路４４０の電源電圧の電圧値（２．７Ｖ）に対応した電圧値が入力されるように、ショットキーダイオード４１４ａを介して電源部４１２の電力を入力し、ショットキーダイオード４１４ｂを介して定電圧回路４１３の電力を入力している。
【００５６】
電圧変更回路４３０は、バイアス抵抗４３０ａ、第１分圧抵抗４３０ｂ、第２分圧抵抗４３０ｃ、ＳＲ（スイッチングレギュレータ）制御ＩＣ４３０ｄ、トランジスタ４３０ｅ、トランス４３０ｆ及びコンデンサ４３０ｇを備えているスイッチング式のレギュレータである。
ＳＲ制御ＩＣ４３０ｄは、入力端子ＦＢ、入力端子ＲＥＦ及び出力端子ＯＵＴとを備え、入力端子ＦＢ及び入力端子ＲＥＦから入力された電圧信号を一致するようにトランジスタ４３０ｅを制御する集積回路である。また、ＳＲ制御ＩＣ４３０ｄは、定電圧回路４１３及びシグナルＧＮＤ４１６と接続されることによって、ＳＲ制御ＩＣ４３０ｄ自身に電力が供給される。
入力端子ＦＢは、第１分圧抵抗４３０ｂ及び第２分圧抵抗４３０ｃによって分圧されたトランス４３０ｆの出力電圧が入力され、入力端子ＲＥＦは、基準電圧接点４２０ｃを介して、後述の交換レンズ５００のツェナーダイオード５２０の基準電圧が入力されている。
【００５７】
また、出力端子ＯＵＴは、上記入力端子ＦＢ及び入力端子ＲＥＦに入力された電圧を一致するようにトランジスタ４３０ｅを制御する制御信号を出力している。
上記各端子の接続によって、ＳＲ制御ＩＣ４３０ｄは、入力端子ＦＢで入力したトランス４３０ｆの分圧された出力電圧の電圧値をフィードバックデータとし、入力端子ＲＥＦで入力した基準電圧の電圧値をリファレンスデータとして、前記出力電圧の電圧値が基準電圧の電圧値に一致するようにトランジスタ４３０ｅを制御している。
【００５８】
本実施形態では、図６に示すように、入力端子ＲＥＦに入力される基準電圧の電圧値は０．７５Ｖであり、その電圧値が常に一定であるので、ＳＲ制御ＩＣ４３０ｄは、入力端子ＦＢに入力されたトランス４３０ｆの分圧された出力電圧の電圧値を０．７５Ｖの基準電圧の電圧値に一致するようにトランジスタ４３０ｅを制御している。ここで、上述したように、ＳＲ制御ＩＣ４３０ｄは、トランス４３０ｆの分圧された出力電圧の電圧値を、基準電圧の電圧値（０．７５Ｖ）に一致するようにトランジスタ４３０ｅを制御しているので、トランス４３０ｆから出力される出力電圧の電圧値は、１．５Ｖに制御される。
【００５９】
トランジスタ４３０ｅは、ドレインＤ、ゲートＧ及びソースＳの３端子を備えたＮｃｈ−ｍｏｓタイプのトランジスタであり、ドレインＤが後述のトランス４３０ｆの一次巻線４３０ｆ−１に、ゲートＧがＳＲ制御ＩＣ４３０ｄの出力端子ＯＵＴに、ソースＳがシグナルＧＮＤ４１６に接続されている。上記接続によって、トランジスタ４３０ｅは、ゲートＧで入力したＳＲ制御ＩＣ４３０ｄの出力端子ＯＵＴの制御信号に基づいて、デジタル的にＯＮ／ＯＦＦ操作を繰り返し、ドレインＤに接続されたトランス４３０ｆの出力電圧の電圧値を変更している。
【００６０】
トランス４３０ｆは、電磁誘導を利用して電圧の高さを変換する変圧器であり、電圧の電圧値を下げる降圧だけでなく、電圧の電圧値を上げる昇圧も行うことができる。トランス４３０ｆは、定電圧回路４１３とトランジスタ４３０ｅのドレインＤとの間に設けられた一次巻線４３０ｆ−１と、回路電源接点４２０ｂとシグナルＧＮＤ４１６との間に設けられた二次巻線４３０ｆ−２とを備えている。トランス４３０ｆは、一次巻線４３０ｆ−１に接続されたトランジスタ４３０ｅに流れる電流の変化に応じて、二次巻線４３０ｆ−２の電圧を変更し、回路電圧として電圧レベルＩ／Ｆ回路４４０及びレンズ制御部５０１に入力している。
コンデンサ４３０ｇは、電圧変更回路４３０のスイッチング動作によって発生するノイズを低減するために設けられており、トランス４３０ｆの二次巻線４３０ｆ−２の巻線部の両端に接続されている。
【００６１】
本実施形態の電圧変更回路４３０は、トランス４３０ｆを用いたスイッチング式のレギュレータであるので、図６に示すカメラシステム１−５のように、定電圧回路４１３の３Ｖの電圧値を１．５Ｖの電圧値に降圧した回路電圧をレンズ制御部５０１に供給するだけでなく、図７に示すカメラシステム１−６のように、定電圧回路４１３の３Ｖの電圧値を５Ｖの電圧値に昇圧してレンズ制御部５０１に供給することもできる。
【００６２】
以上より、本実施形態のカメラシステム１−５及びカメラシステム１−６は、第１実施形態の電圧変更回路３０と異なる回路構成を有した電圧変更回路４３０を用いても、第１実施形態と同様に、図６に示すように、ツェナーダイオード５２０の基準電圧に基づいて、電圧変更回路４３０が適正な回路電圧を交換レンズに出力させることができる。
また、本実施形態の電圧変更回路４３０は、図７に示すように、カメラ４１０の定電圧回路４１３の電圧値（３Ｖ）よりも高い回路電圧の電圧値（５Ｖ）を、第２の交換レンズ５００−２に供給することもでき、複数の交換レンズとカメラ４１０との互換性をさらに向上させることができる。
【００６３】
（変形例）
以上説明した実施形態に限定されることなく、種々の変形や変更が可能である。
（１）各実施形態では、交換レンズ１００の基準電圧源として、ツェナーダイオード１２０を使用したが、一定の電圧を供給できるそれ以外の電源、例えば、電池などを使用してもよい。
【００６４】
（２）本発明の電圧変更回路の回路構成は、各実施形態に記載された回路構成に限定されるものではなく、電圧変更回路で使用されている各素子などの接続や配置は適宜変更してもよい。例えば、第１実施形態のオペアンプ３０ｄに非反転入力端子（＋）と反転入力端子（−）との入力を入れ替えて、トランジスタ３０ｅにＮＰＮ式のトランジスタを用いることも可能である。
なお、各実施形態及び変形形態は、適宜組み合わせて用いることもできるが、詳細な説明は省略する。また、本発明は、以上説明した各実施形態によって限定されることはない。
【図面の簡単な説明】
【００６５】
【図１】第１実施形態によるカメラシステムの全体の概略図である。
【図２】交換レンズがカメラに装着された第１実施形態のカメラシステムのブロック線図である。
【図３】第２の交換レンズがカメラに装着された第１実施形態のカメラシステムのブロック線図である。
【図４】交換レンズがカメラに装着された第２実施形態のカメラシステムのブロック線図である。
【図５】第２の交換レンズがカメラに装着された第２実施形態のカメラシステムのブロック線図である。
【図６】交換レンズがカメラに装着された第３実施形態のカメラシステムのブロック線図である。
【図７】第２の交換レンズがカメラに装着された第３実施形態のカメラシステムのブロック線図である。
【符号の説明】
【００６６】
１：カメラシステム、１０：カメラ、１０ａ：カメラ筐体、１０ｂ：装着部、１１：カメラ制御部、１２：電源部、１３：電源回路、１４：給電回路、１５：給電スイッチ、１６：シグナルＧＮＤ、１７：操作スイッチ、２０：電気接点、３０：電圧変更回路、４０：電圧レベルＩ／Ｆ回路、１００：交換レンズ、１００ａ：レンズ筐体、１００ｂ：装着部、１０１：レンズ制御部、１０２：電源回路、１０３：シグナルＧＮＤ、１０４：操作スイッチ、１１０：電気接点、１２０：ツェナーダイオード、１３０：ＡＦ機構部、１４０：ブレ補正部、１５０：絞り駆動回路
【図１】
0005493261.tif 000002
【図２】
0005493261.tif 000003
【図３】
0005493261.tif 000004
【図４】
0005493261.tif 000005
【図５】
0005493261.tif 000006
【図６】
0005493261.tif 000007
【図７】
0005493261.tif 000008